(57)【要約】【課題】配信先を効率的に設定させることを課題とする。【解決手段】情報処理装置は、配信設定取得部と、候補取得部と、出力部とを有する。配信設定取得部は、ユーザ情報に応じて設定された、配信データを配信する配信先を検索するための検索先の情報を含む配信設定情報を取得する。候補取得部は、ユーザ情報をもとに、配信設定情報から検索先を特定し、特定した検索先から、配信データを格納する格納場所の候補情報を取得する。出力部は、取得された候補情報を出力する。【選択図】図２
2015060317.tif 000002
【特許請求の範囲】
【請求項１】
１以上の情報処理装置を有する情報処理システムであって、
ユーザ情報に応じて設定された、配信データを配信する配信先を検索するための検索先の情報を含む配信設定情報を取得する配信設定取得部と、
前記ユーザ情報をもとに、前記配信設定情報から前記検索先を特定し、特定した前記検索先から、前記配信データを格納する格納場所の候補情報を取得する候補取得部と、
取得された前記候補情報を出力する出力部と
を有することを特徴とする情報処理システム。
【請求項２】
前記配信設定取得部は、ユーザが使用する機器を識別する機器識別情報に応じて設定された前記検索先の情報をさらに含む前記配信設定情報を取得し、
前記候補取得部は、前記機器識別情報をもとに、前記配信設定情報から前記検索先を特定し、特定した前記検索先から前記候補情報を取得することを特徴とする請求項１に記載の情報処理システム。
【請求項３】
前記配信設定取得部は、処理の実行順序が規定されたワークフローを識別するフロー識別情報に応じて設定された前記検索先の情報をさらに含む前記配信設定情報を取得し、
前記候補取得部は、前記フロー識別情報をもとに、前記配信設定情報から前記検索先を特定し、特定した前記検索先から前記候補情報を取得することを特徴とする請求項１又は２に記載の情報処理システム。
【請求項４】
前記配信設定取得部は、前記配信データの属性情報に応じて設定された前記検索先の情報をさらに含む前記配信設定情報を取得し、
前記候補取得部は、前記配信データの属性情報をもとに、前記配信設定情報から前記検索先を特定し、特定した前記検索先から前記候補情報を取得することを特徴とする請求項１〜３の何れか一つに記載の情報処理システム。
【請求項５】
出力された前記候補情報から選択された前記格納場所に、前記配信データを配信する配信部をさらに有することを特徴とする請求項１〜４の何れか一つに記載の情報処理システム。
【請求項６】
ユーザ情報に応じて設定された、配信データを配信する配信先を検索するための検索先の情報を含む配信設定情報を取得する配信設定取得部と、
前記ユーザ情報をもとに、前記配信設定情報から前記検索先を特定し、特定した前記検索先から、前記配信データを格納する格納場所の候補情報を取得する候補取得部と、
取得された前記候補情報を出力する出力部と
を有することを特徴とする情報処理装置。
【請求項７】
ユーザ情報に応じて設定された、配信データを配信する配信先を検索するための検索先の情報を含む配信設定情報を取得する配信設定取得ステップと、
前記ユーザ情報をもとに、前記配信設定情報から前記検索先を特定し、特定した前記検索先から、前記配信データを格納する格納場所の候補情報を取得する候補取得ステップと、
取得された前記候補情報を出力する出力ステップと
を含むことを特徴とする情報処理方法。
【請求項８】
ユーザ情報に応じて設定された、配信データを配信する配信先を検索するための検索先の情報を含む配信設定情報を取得する配信設定取得ステップと、
前記ユーザ情報をもとに、前記配信設定情報から前記検索先を特定し、特定した前記検索先から、前記配信データを格納する格納場所の候補情報を取得する候補取得ステップと、
取得された前記候補情報を出力する出力ステップと
をコンピュータに実行させるための情報処理プログラム。
【請求項９】
請求項８に記載の情報処理プログラムを記憶したコンピュータ読み取り可能な記憶媒体。
【発明の詳細な説明】
【技術分野】
【０００１】
本発明は、情報処理システム、情報処理装置、情報処理方法、情報処理プログラム及び記憶媒体に関する。
【背景技術】
【０００２】
従来、配信データを配信先に配信するシステムが知られている。かかるシステムにおいては、設定された配信先の宛先に配信データが配信される。例えば、ユーザは、手入力やアドレス帳の利用等により、配信先の宛先を設定するための操作を行なう。また、最近では、サーバ装置から宛先の一覧を取得し、一覧からユーザに選択させることで宛先を設定する技術がある。かかる技術では、さらに、ユーザごとに配信履歴を記録しておき、配信履歴に記録された宛先を配信先の宛先の候補として、候補の中からユーザに選択させることで宛先を設定している。
【発明の概要】
【発明が解決しようとする課題】
【０００３】
しかしながら、上述した従来技術は、配信先を効率的に設定させることが困難であるという問題がある。例えば、従来技術は、配信履歴を利用して宛先を絞り込み、配信先設定の効率化をはかろうとしているものの、配信履歴に存在しない宛先に配信データを配信したい場合、上記のようにサーバ装置から宛先の一覧を取得することになる。ここで、複数のサーバ装置が存在する場合には、サーバ装置ごとに宛先の一覧を取得することになるため、ユーザは単一のサーバ装置の宛先の一覧から選択する、若しくは、複数のサーバ装置の宛先の一覧から選択することになる。この結果、従来技術は、配信先を効率的に設定できるとは言い難い。
【０００４】
本発明は、上記に鑑みてなされたものであって、配信先を効率的に設定させることが可能である情報処理システム、情報処理装置、情報処理方法、情報処理プログラム及び記憶媒体を提供することを目的とする。
【課題を解決するための手段】
【０００５】
上述した課題を解決し、目的を達成するため、本発明に係る情報処理システムは、１以上の情報処理装置を有する情報処理システムであって、ユーザ情報に応じて設定された、配信データを配信する配信先を検索するための検索先の情報を含む配信設定情報を取得する配信設定取得部と、前記ユーザ情報をもとに、前記配信設定情報から前記検索先を特定し、特定した前記検索先から、前記配信データを格納する格納場所の候補情報を取得する候補取得部と、取得された前記候補情報を出力する出力部とを有する。
【発明の効果】
【０００６】
本発明の一つの様態によれば、配信先を効率的に設定させることができるという効果を奏する。
【図面の簡単な説明】
【０００７】
【図１】図１は、実施の形態１に係る情報処理システムの構成例を示す図である。
【図２】図２は、実施の形態１に係るスキャナ装置の構成例を示す機能ブロック図である。
【図３】図３は、実施の形態１に係る配信設定情報の例を示す図である。
【図４】図４は、実施の形態１に係る格納場所選択画面の例を示す図である。
【図５】図５は、実施の形態１に係る候補情報出力処理の流れの例を示すフローチャートである。
【図６】図６は、実施の形態１に係る候補情報出力処理の流れの例を示すフローチャートである。
【図７】図７は、実施の形態１に係る候補情報出力処理の流れの例を示すフローチャートである。
【発明を実施するための形態】
【０００８】
以下に添付図面を参照して、本発明に係る情報処理システム、情報処理装置、情報処理方法、情報処理プログラム及び記憶媒体の実施の形態を説明する。なお、以下の実施の形態により本発明が限定されるものではない。
【０００９】
（実施の形態１）
［実施の形態１に係るシステム構成］
図１を用いて、実施の形態１に係る情報処理システムの構成を説明する。図１は、実施の形態１に係る情報処理システムの構成例を示す図である。
【００１０】
図１に示すように、情報処理システム１には、スキャナ装置１００と、配信サーバ装置２０と、管理サーバ装置３０と、管理サーバ装置４０とが含まれる。また、これらの装置は、ＬＡＮ（Local  Area  Network）やインターネット等のネットワーク１０に接続されている。
【００１１】
上述した構成において、配信サーバ装置２０は、配信設定情報を記憶する。また、配信サーバ装置２０は、要求に応じて、指定された配信先の格納場所に配信データを配信する配信処理を実行する。かかる配信設定情報は、例えば、ユーザ情報に応じて設定された、配信データを配信する配信先を検索するための検索先の情報を含むものである。すなわち、配信設定情報を利用すれば、ユーザ情報に応じた検索先を特定することができる。なお、配信設定情報は、情報処理システム１の管理者等によって事前に又は適宜設定される。
【００１２】
管理サーバ装置３０や管理サーバ装置４０は、配信データを格納する格納場所のリストを管理する。かかる格納場所のリストは、配信データを格納する格納場所の候補情報となる。また、例えば、管理サーバ装置３０や管理サーバ装置４０は、ＬＤＡＰ（Lightweight  Directory  Access  Protocol）接続可能な認証サーバ装置や、ＨＴＴＰ（HyperText  Transfer  Protocol）等により接続可能なＷｅｂサービスを提供する装置である。所定の業務サービス等を提供する管理サーバ装置３０や管理サーバ装置４０は、図示した数の台数の設置に限られるものではなく、さらに多くの台数が設置されていても良い。
【００１３】
スキャナ装置１００は、配信データの格納場所をユーザに指定させるために、格納場所の候補情報を出力する。具体的には、スキャナ装置１００は、配信サーバ装置２０等から、情報処理システム１の管理者によって設定された配信設定情報を取得する。そして、スキャナ装置１００は、配信データの配信のためにログイン操作を行なったユーザのユーザ情報をもとに、取得した配信設定情報から検索先を特定する。続いて、スキャナ装置１００は、特定した検索先から、配信データを格納する格納場所のリストを取得する。その後、スキャナ装置１００は、取得したリストに基づき、配信データを格納する格納場所の候補情報を表示部に表示出力し、候補の中から選択するようにユーザに促す。これらにより、ユーザによって選択された格納場所の情報は配信データとともに配信サーバ装置２０に送信され、配信サーバ装置２０によって配信処理が実行される。
【００１４】
つまり、情報処理システム１は、ユーザ情報等に応じて設定された配信データの配信先を検索するための検索先の情報を含む配信設定情報を用いて、ユーザ情報に対応する検索先から格納場所の候補となるリストを取得及び出力するので、配信先を効率的に設定させることができる。換言すると、情報処理システム１は、ユーザ情報に対応する格納場所の候補情報を出力することで、格納場所の候補の絞り込みをユーザに意識させることなく実行するので、効率的な配信先の設定を実現することができる。
【００１５】
［実施の形態１に係る装置構成］
次に、図２を用いて、実施の形態１に係るスキャナ装置１００の構成について説明する。図２は、実施の形態１に係るスキャナ装置１００の構成例を示す機能ブロック図である。
【００１６】
図２に示すように、スキャナ装置１００は、配信設定取得部１１０と、条件値取得部１２０と、候補取得部１３０と、出力部１４０とを有する。上記各部については、これらの一部又は全部がソフトウェア（プログラム）であっても良いし、これらの一部又は全部がハードウェア回路であっても良い。なお、スキャナ装置１００は、情報処理装置の一例である。
【００１７】
また、スキャナ装置１００は、少なくともスキャナ機能を有する機器である。例えば、スキャナ装置１００は、スキャナ機能、プリンタ機能、コピー機能及びファクシミリ機能のうち、少なくともスキャナ機能を含む２つ以上の機能を有する複合機（MFP：Multi  Function  Peripheral）である。なお、スキャナ装置１００は、複合機に限られるものではない。スキャナ装置１００は、ユーザ操作に応じて、スキャナ機能により原稿をスキャンし、画像データを生成する。生成された画像データは、配信データとして利用される。
【００１８】
配信設定取得部１１０は、配信設定情報を取得する。より具体的には、配信設定取得部１１０は、配信サーバ装置２０等から、情報処理システム１の管理者によって設定された配信設定情報を取得する。配信設定情報は、予め取得されていても良いし、定期的に取得されても良いし、ログイン認証等のユーザ操作が行なわれたときに取得されても良い。また、管理者によって配信設定情報が更新された場合に、配信サーバ装置２０が配布するようにして、取得されても良い。
【００１９】
配信設定情報は、ユーザ情報に応じて設定された配信データを配信する配信先を検索するための検索先の情報を含む。また、配信設定情報は、ユーザが使用する機器を識別する機器識別情報に応じて設定された検索先の情報を含んでいても良い。また、配信設定情報は、処理の実行順序が規定されたワークフローを識別するフロー識別情報に応じて設定された検索先の情報を含んでいても良い。
【００２０】
図３は、実施の形態１に係る配信設定情報の例を示す図である。図３に示すように、配信設定情報には、検索先を特定するための条件を表す「条件」と、該条件の値（実際の値）を表す「値」と、格納場所の候補となるリストを管理する検索先を表す「検索先（情報を取得する装置）」との情報が設定されている。
【００２１】
例えば、配信設定情報には、条件「ユーザの所属グループ」と、値「グループＡ」と、検索先「管理サーバＡ」とが対応付けて設定されている。また、配信設定情報には、条件「ユーザの所属グループ」と、値「グループＢ」と、検索先「管理サーバＢ」とが対応付けて設定されている。また、配信設定情報には、条件「機器ＩＤ」と、値「１２３＊」と、検索先「スキャナ装置」とが対応付けて設定されている。ここで、値「１２３＊」は、機器ＩＤが「１２３」から始まるものであることを表している。
【００２２】
また、配信設定情報には、条件「ワークフロー名」と、値「請求書」と、検索先「管理サーバＣ」とが対応付けて設定されている。また、配信設定情報には、条件「ワークフロー名」と、値「見積書」と、検索先「管理サーバＤ」とが対応付けて設定されている。また、配信設定情報には、条件「その他」と、値「−（ブランク）」と、検索先「管理サーバＡ，管理サーバＢ，・・・」とが対応付けて設定されている。
【００２３】
条件値取得部１２０は、配信設定情報に含まれる条件の値を取得する。より具体的には、条件値取得部１２０は、図示しない記憶部（記憶装置）から、ユーザ情報や機器識別情報、フロー識別情報等を取得する。記憶部は、スキャナ装置１００の記憶装置等である。例えば、ユーザ情報は、ユーザのログイン認証で利用されたユーザ名に対応する所属グループを、記憶部から取得する。また、機器識別情報は、個々のスキャナ装置に設定されている機器ＩＤであり、ユーザが使用しているスキャナ装置１００から取得される。また、フロー識別情報は、管理サーバ装置３０や管理サーバ装置４０等によって提供される各サービスを識別する情報であり、スキャナ装置１００でのユーザ操作により指定される。
【００２４】
候補取得部１３０は、配信設定情報から検索先を特定し、特定した検索先から、配信データを格納する格納場所の候補情報を取得する。まず、例えばユーザ情報を利用する場合を説明する。候補取得部１３０は、条件値取得部１２０によってユーザの所属グループ「グループＡ」が取得された場合に、配信設定取得部１１０によって取得された配信設定情報から、検索先「管理サーバＡ（例えば、管理サーバ装置３０）」を特定する。そして、候補取得部１３０は、特定した検索先「管理サーバＡ」から、格納場所のリストを取得する。同様に、候補取得部１３０は、条件値取得部１２０によってユーザの所属グループ「グループＢ」が取得された場合に、配信設定取得部１１０によって取得された配信設定情報から、検索先「管理サーバＢ（例えば、管理サーバ装置４０）」を特定する。そして、候補取得部１３０は、特定した検索先「管理サーバＢ」から、格納場所のリストを取得する。
【００２５】
次に、例えば機器ＩＤを利用する場合を説明する。候補取得部１３０は、条件値取得部１２０によって機器ＩＤ「１２３＊」が取得された場合に、配信設定取得部１１０によって取得された配信設定情報から、検索先「スキャナ装置（例えば、スキャナ装置１００）」を特定する。そして、候補取得部１３０は、特定した検索先「スキャナ装置」から、格納場所のリストを取得する。
【００２６】
続いて、例えばフロー識別情報を利用する場合を説明する。候補取得部１３０は、条件値取得部１２０によってワークフロー名「請求書」が取得された場合に、配信設定取得部１１０によって取得された配信設定情報から、検索先「管理サーバＣ」を特定する。そして、候補取得部１３０は、特定した検索先「管理サーバＣ」から、格納場所のリストを取得する。同様に、候補取得部１３０は、条件値取得部１２０によってワークフロー名「見積書」が取得された場合に、配信設定取得部１１０によって取得された配信設定情報から、検索先「管理サーバＤ」を特定する。そして、候補取得部１３０は、特定した検索先「管理サーバＤ」から、格納場所のリストを取得する。
【００２７】
なお、候補取得部１３０は、条件値取得部１２０によって上述してきた各種条件に該当しない値が取得された場合に、検索先「管理サーバＡ」、「管理サーバＢ」等の複数の装置から、格納場所のリストを取得することになる。
【００２８】
出力部１４０は、候補情報を出力する。より具体的には、出力部１４０は、候補取得部１３０によって取得された格納場所のリスト（候補情報）を、表示部に表示出力する。これにより、ユーザは、表示出力された格納場所の候補から、配信データを格納する格納場所を選択（指定）する操作を行なう。図４は、実施の形態１に係る格納場所選択画面の例を示す図である。ユーザは、図４に示した「検索」ボタンを押下する。これにより、「格納場所候補」の領域に、候補取得部１３０によって取得された候補情報が表示出力される。出力部１４０は、表示出力された候補情報の中から、ユーザによって何れかが選択され「決定」ボタンが押下されると、選択された格納場所に配信データを配信するための指示を配信サーバ装置２０に対して出力する。この結果、配信サーバ装置２０は、スキャナ装置１００によって指定された格納場所に、配信データを配信する配信処理を実行する。
【００２９】
［実施の形態１に係る処理フロー］
次に、図５、図６及び図７を用いて、実施の形態１に係る候補情報出力処理の流れについて説明する。図５、図６及び図７は、実施の形態１に係る候補情報出力処理の流れの例を示すフローチャートである。なお、図５、図６及び図７では、データ配信のためのユーザ操作を受け付けた場合に配信設定情報を取得する場合を説明する。
【００３０】
まず、図５を用いて、ユーザ情報に応じて配信先を特定する場合を説明する。図５に示すように、配信設定取得部１１０は、データ配信のためのユーザ操作を受け付けた場合に（ステップＳ１０１：Ｙｅｓ）、配信サーバ装置２０等から配信設定情報を取得する（ステップＳ１０２）。条件値取得部１２０は、スキャナ装置１００の記憶部等から、ユーザ情報を取得する（ステップＳ１０３）。
【００３１】
候補取得部１３０は、条件値取得部１２０によって取得されたユーザ情報をもとに、配信設定取得部１１０によって取得された配信設定情報から、検索先を特定する（ステップＳ１０４）。そして、候補取得部１３０は、特定した検索先から、格納場所のリスト（候補情報）を取得する（ステップＳ１０５）。これにより、出力部１４０は、候補取得部１３０によって取得された格納場所のリスト（候補情報）を表示部に表示出力する（ステップＳ１０６）。これらの後、ユーザによって選択（指定）された格納場所に、配信データを配信する要求が、配信サーバ装置２０に対して行なわれる。
【００３２】
次に、図６を用いて、機器ＩＤに応じて配信先を特定する場合を説明する。図６では、図５に示した処理の流れと同様のステップについては、説明を省略する。具体的には、ステップＳ２０１及びステップＳ２０２は、ステップＳ１０１及びステップＳ１０２における処理と同様である。また、ステップＳ２０５及びステップＳ２０６は、ステップＳ１０５及びステップＳ１０６における処理と同様である。
【００３３】
図６に示すように、条件値取得部１２０は、ユーザが使用しているスキャナ装置１００の機器ＩＤを取得する（ステップＳ２０３）。また、候補取得部１３０は、条件値取得部１２０によって取得された機器ＩＤをもとに、配信設定取得部１１０によって取得された配信設定情報から、検索先を特定する（ステップＳ２０４）。これらにより、機器ＩＤをもとに特定された検索先から格納場所のリストが取得され、出力される。
【００３４】
次に、図７を用いて、フロー識別情報に応じて配信先を特定する場合を説明する。図７では、図５に示した処理の流れと同様のステップについては、説明を省略する。具体的には、ステップＳ３０１及びステップＳ３０２は、ステップＳ１０１及びステップＳ１０２における処理と同様である。また、ステップＳ３０５及びステップＳ３０６は、ステップＳ１０５及びステップＳ１０６における処理と同様である。
【００３５】
図７に示すように、条件値取得部１２０は、ユーザ操作によって指定されたワークフロー名（フロー識別情報）を取得する（ステップＳ３０３）。また、候補取得部１３０は、条件値取得部１２０によって取得されたワークフロー名をもとに、配信設定取得部１１０によって取得された配信設定情報から、検索先を特定する（ステップＳ３０４）。これらにより、フロー識別情報をもとに特定された検索先から格納場所のリストが取得され、出力される。
【００３６】
［実施の形態１による効果］
情報処理システム１では、ユーザ情報や機器識別情報、フロー識別情報等に応じて検索先を特定し、特定した検索先から配信データの格納場所の候補情報となるリストを取得し、取得したリストを出力する。この結果、情報処理システム１は、配信データの格納場所を効率的に設定させることができる。換言すると、情報処理システム１は、ログイン認証やワークフローの指定等によって得られた条件値から検索先を特定し、特定した検索先から取得した格納場所のリストを出力するので、ある程度絞り込みがなされた格納場所の候補からユーザに格納場所を選択させることができるので、配信データの格納場所を効率的に設定させることができる。
【００３７】
（実施の形態２）
さて、これまで本発明に係る情報処理システム１の実施の形態について説明したが、上述した実施の形態以外にも種々の異なる形態にて実施されて良いものである。そこで、（１）配信データの属性、（２）利用する条件値、（３）構成、（４）プログラム、について異なる実施の形態を説明する。
【００３８】
（１）配信データの属性
上記実施の形態では、ユーザ所属のグループであるユーザ情報、機器ＩＤである機器識別情報、ワークフロー名であるフロー識別情報等を用いて配信データの検索先を特定する場合を説明した。かかる検索先の特定は、配信データの属性に応じて行なわれても良い。例えば、本実施の形態に係る配信設定情報は、配信データの属性情報に応じて設定された検索先の情報をさらに含む。配信データの属性情報は、一つの様態として、配信データの種類や重要度（機密の度合い）等が挙げられる。これにより、条件値取得部１２０は、配信データの設定情報（例えば、プロパティ等）から種類や重要度を取得する。そして、候補取得部１３０は、条件値取得部１２０によって取得された配信データの種類や重要度等をもとに、配信設定情報から検索先を特定し、特定した検索先から該配信データを格納する格納場所の候補情報を取得する。つまり、本実施の形態では、配信データに関する属性情報に応じて、配信データの格納場所を特定することができる。
【００３９】
（２）利用する条件値
また、上記実施の形態では、ユーザ情報、機器識別情報、フロー識別情報、配信データの属性情報等の値（条件値）に応じて検索先を特定する場合を説明した。検索先は、各条件値を適宜組み合わせて特定するようにしても良い。例えば、ユーザ情報と機器ＩＤとを組み合わせて、ユーザ情報及び機器ＩＤの双方に対応する検索先を特定しても良い。また、フロー識別情報が設定されている場合には、ユーザ情報や機器ＩＤ等を採用せずに、フロー識別情報のみに応じた検索先を特定するようにしても良い。どの条件値を利用するかについては、事前に設定されていても良いし、ユーザが適宜指定できるようにしても良い。また、どの条件値を利用するかの条件を予め設定しておけば、管理者やユーザに指定させる必要もなくなる。これらにより、情報処理システム１は、ユーザの希望する検索先を好適に絞り込んだ格納場所の候補を出力することができる。
【００４０】
（３）構成
また、上記文書中や図面中等で示した処理手順、制御手順、具体的名称、各種のデータやパラメタ等を含む情報は、特記する場合を除いて任意に変更することができる。また、図示した各装置の各構成要素は、機能概念的なものであり、必ずしも物理的に図示の如く構成されていることを要しない。すなわち、各装置の分散又は統合の具体的形態は、図示のものに限られず、その全部又は一部を各種の負担や使用状況等に応じて、任意の単位で機能的又は物理的に、分散又は統合することができる。
【００４１】
例えば、上記実施の形態では、スキャナ装置１００でのスキャンによって得られたデータを配信データとして、該スキャナ装置１００で各種処理を実行する場合を説明したが、該各種処理は、ＰＣ等の情報処理装置により実現されても良い。さらには、各種処理の各々は、複数の情報処理装置により実現されても良い。具体的には、配信設定情報を取得する処理を実行する情報処理装置と、条件値を取得する処理を実行する情報処理装置と、候補情報を取得する処理を実行する情報処理装置と、候補情報を出力する処理を実行する情報処理装置とにより実現されても良い。また、これらの情報処理装置による処理の後には、上記のような配信サーバ装置２０等の情報処理装置によって配信処理が実行される。なお、これらの情報処理装置は、一つの情報処理装置によって各種処理を実行するように構成されても良い。
【００４２】
また、スキャナ装置１００から配信データを出力する構成ではなく、ユーザ所有のタブレット端末や共有して利用されるクライアント装置等から出力する構成としても良い。つまり、タブレット端末やクライアント装置等から出力される配信データは、アプリケーションデータ等である。このとき、出力部１４０は、タブレット端末や任意のクライアント装置に格納場所のリスト（候補情報）を出力する。これにより、タブレット端末や任意のクライアント装置の表示部には、格納場所のリストが表示され、ユーザによって格納場所を選択するユーザ操作が行なわれることになる。タブレット端末やクライアント装置から配信データを出力する構成の場合、上記機器ＩＤは、タブレット端末やクライアント装置を識別する情報となる。このとき、個人の機器、共有される機器に応じて、検索先を設定しても良い。
【００４３】
（４）プログラム
また、情報処理システム１で実行される情報処理プログラムは、一つの様態として、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、情報処理プログラムを、インターネット等のネットワークに接続されたコンピュータ上に格納し、ネットワーク経由でダウンロードさせることにより提供するように構成しても良い。また、情報処理プログラムをインターネット等のネットワーク経由で提供又は配布するように構成しても良い。また、情報処理プログラムを、ＲＯＭ等に予め組み込んで提供するように構成しても良い。
【００４４】
情報処理システム１で実行される情報処理プログラムは、上述した各部（配信設定取得部１１０、条件値取得部１２０、候補取得部１３０、出力部１４０）を少なくとも含むモジュール構成となっており、実際のハードウェアとしてはＣＰＵ（プロセッサ）が記憶媒体から情報処理プログラムを読み出して実行することにより、上記各部が主記憶装置上にロードされ、配信設定取得部１１０、条件値取得部１２０、候補取得部１３０、出力部１４０が主記憶装置上に生成されるようになっている。
【符号の説明】
【００４５】
１  情報処理システム
１０  ネットワーク
２０  配信サーバ装置
３０  管理サーバ装置
４０  管理サーバ装置
１００  スキャナ装置
１１０  配信設定取得部
１２０  条件値取得部
１３０  候補取得部
１４０  出力部
【先行技術文献】
【特許文献】
【００４６】
【特許文献１】特開２００５−０８４９８１号公報
【図１】
2015060317.tif 000003
【図２】
2015060317.tif 000004
【図３】
2015060317.tif 000005
【図４】
2015060317.tif 000006
【図５】
2015060317.tif 000007
【図６】
2015060317.tif 000008
【図７】
2015060317.tif 000009